(57)【特許請求の範囲】
【請求項１】
カード挿入口兼排出口と、このカード挿入口兼排出口に連通されたカード処理通路と、このカード処理通路内に搬送されたカードを処理するカード処理部と、前記カード挿入口兼排出口を開閉自在とするシャッタと、このシャッタの前記カード処理通路側に設けられ、カード処理通路に進退自在であって進出することにより一端がシャッタに係合する係合部材とを備え、この係合部材の他端を、前記カード処理通路のカードを前記カード処理部によって処理可能な搬送端限に位置付けたことを特徴とするカード処理装置。
【請求項２】
請求項１に記載されたカード処理装置において、前記カード挿入口兼排出口と前記カード処理通路を挟んで反対側にカード挿入口を設けたことを特徴とするカード処理装置。
【発明の詳細な説明】
【０００１】
【発明の属する技術分野】
本発明は、磁気カードあるいはＩＣカード等のカードに記録された情報を処理するカード処理装置に関する。
【０００２】
【従来の技術】
一般に、この種のカード処理装置は、カード挿入口と、このカード挿入口に連通されたカード処理通路と、このカード処理通路内に搬送されたカードを処理するカード処理部と、前記カード挿入口を開閉自在とし、カード処理部で１枚目のカードが処理されている間に２枚目以降のカードの挿入を規制するシャッタピンとが備えられている。そして、このカード処理装置には、カード挿入口から挿入されカード処理通路内を搬送されるカードを所定の位置に停止させ、カード処理部によって処理可能とするためのエンコーダが設けられている。
【０００３】
【発明が解決しようとする課題】
このように、従来のカード処理装置においては、カードを所定の位置に停止させるためのエンコーダを必要とするため、製造コストが高くなるという問題があった。また、カード挿入口の開閉をシャッタピンによって行う構造としているので、カード挿入口全体を閉塞することができず、このため、不正やいたずらを排除することができないという問題もあった。
【０００４】
本発明は上記した従来の問題に鑑みなされたものであり、その目的とするところは、安価に製造できるとともに、不正やいたずらを排除したカード処理装置を提供することにある。
【０００５】
【課題を解決するための手段】
この目的を達成するために、請求項１に係る発明は、カード挿入口兼排出口と、このカード挿入口兼排出口に連通されたカード処理通路と、このカード処理通路内に搬送されたカードを処理するカード処理部と、前記カード挿入口兼排出口を開閉自在とするシャッタと、このシャッタの前記カード処理通路側に設けられ、カード処理通路に進退自在であって進出することにより一端がシャッタに係合する係合部材とを備え、この係合部材の他端を前記カード処理通路のカードを前記カード処理部によって処理可能な移動端限に位置付ける。
したがって、シャッタの閉じた状態を保持する係合部材が、カードを所定の処理位置に停止させるストッパとしても機能する。
また、請求項２に係る発明は、請求項１に係る発明において、前記カード挿入口兼排出口と前記カード処理通路を挟んで反対側にカード挿入口を設けたものである。
したがって、１台のカード処理装置で、カード挿入口兼排出口とカード挿入口から挿入される２種類のカードを処理し、カード挿入口兼排出口から排出することができる。
【０００６】
【発明の実施の形態】
以下、本発明の実施の形態を図に基づいて説明する。図１は本発明に係るカード処理装置の平断面図、図２は図１におけるＩＩ−ＩＩ  線断面図である。図３ないし図５はカードの動作を示す図１におけるＩＩＩ−ＩＩＩ  線断面図であって、図３はカードを第１のカード挿入口兼排出口から挿入した状態を示し、図４はカードを処理している状態を示し、図５はカードをカード挿入口兼排出口から排出している状態を示す。図６は要部の側面図、図７は２枚目のカードの挿入を規制している状態を示す要部の側面図である。
【０００７】
図２において、全体を符号１で示すものは、カード処理装置であって、共に合成樹脂よって形成されたロアーケース２とアッパーケース３とによって構成されている。ロアーケース２は、中央部に設けられた断面が略コ字状のカード搬送部５と、このカード搬送部５の上端から左右に延在する上面板６，６と、これら上面板６，６の左右端から下方にそれぞれ垂設された側面板７，７とによって形成されている。
【０００８】
図１において、１０は正方向、逆方向に回転を切り替えることができるモータであって、ロアーケース２のカード搬送部５の下面に取り付けられた支持板１１に固定され、モータ軸にはウォーム１２が軸着されている。１３はこのウォーム１２に噛合しているウォームホィールであって、支持板１１に回転自在に支持された軸１４に軸着されている。この軸１４はカード搬送部５の後部側において、このカード搬送部５の中央部の下方まで延設され、先端部に駆動ローラ１５が軸着されているとともに、カード搬送部５の外側の部位にはプーリ１６が軸着されている。
【０００９】
１７は軸であって、前記軸１４と平行となるように支持板１１に回転自在に支持され、カード搬送部５の前部側において、このカード搬送部５の中央部の下方まで延設され、先端部に従動ローラ１８が軸着されているとともに、カード搬送部５の外側の部位にはプーリ１９が軸着されている。これらプーリ１９，１６間にはベルト２０が張架されており、モータ１０が駆動されることにより、ウォーム１２、ウォームホィール１３、軸１４を介して駆動ローラ１５が回転するとともに、ベルト２０，軸１７を介して従動ローラ１８が回転する。この従動ローラ１８と前記駆動ローラ１５とは、カード搬送部５に穿設した窓１８ａ，１５ａから上部が露呈している。
【００１０】
図１および図２において、ロアーケース２のカード搬送部５の前端側の下面には、ソレノイド２２が固定され、このソレノイド２２には可動板２３を介して上下動自在な一対のピン２４，２４が備えられている。これらピン２４，２４は、ソレノイド２２が通電され上方に移動することにより、カード搬送部５に穿設した摺動孔２５，２５から後述するカード搬送路２６内に突出するように構成されている。
【００１１】
図２に示すように、アッパーケース３は断面コ字状に形成され、その外形寸法が上述したロアーケース２のカード搬送部５の外形寸法よりもわずかに小さく形成されている。このアッパーケース３をカード搬送部５内に収納することにより、図３に示すように、前後にカード挿入口兼排出口２６ａ，カード挿入口２６ｂが設けられたカード搬送路２６が形成される。２６ｃは情報処理基板であって、カード搬送路２６に近接するように、ロアーケース２のカード搬送部５の底部の裏面側に取り付けられている。
【００１２】
図２、図３、図６において、２７はシャッタフラッパであって、アッパーケース３の前端部に立設した一対の軸支承部２８，２８間に横架された軸２９を介して、カード搬送路２６のカード挿入口兼排出口２６ａの後方において、図３中時計、反時計方向に揺動自在に支持されている。このシャッタフラッパ２７は開口２６ａの略全体を覆う大きさに形成され、アッパーケース３に一体に突設したばね掛け部３０との間に懸架された引張りコイルばね３１の引張り力によって、図６中実線で示した中立位置、すなわち下方に垂下した状態に保持されている。
【００１３】
図７に示すように、ソレノイド２２に通電し、ピン２４を上昇させると、このピン２４の一端にシャッタフラッパ２７が係合し、シャッタフラッパ２７の反時計方向の回動が規制される。
【００１４】
図３において、アッパケース３には、ねじりコイルばね３３のねじりモーメントによって、上述した駆動ローラ１５と従動ローラ１８に対接する一対のピンチローラ３４，３４が回転自在に支持されている。カード搬送路２６の後部において、カード搬送路２６を挟むようにして、二対の第１のセンサ３５および第２のセンサ３６が、ロアーケース２とアッパーケース３とにそれぞれ設けられている。
【００１５】
図４に示すように、第１のセンサ３５と上述したピン２４のシャッタフラッパ２７が係合する側と反対側の端面との間Ｌが、情報処理基板２６ｃによって非接触ＩＣカード（以下、単にカードという）４０に記録された情報の処理を可能とする範囲としている。換言すれば、後述するように、カード搬送路２６内を矢印Ｂ方向に搬送されたカード４０が、上昇したピン２４に係合してこの位置で搬送が停止されることにより、カード４０の処理が可能となるようにピン２４が位置付けられている。すなわち、ピン２４の他端を、カード処理通路２６のカード４０を情報処理基板２６ｃによって処理可能な搬送端限に位置付けたものである。
【００１６】
このように構成されたカード処理装置１は、図３に示すように、利用者側の空間４２と管理者側の空間４３とに仕切る仕切壁４１の管理者側の空間４３側に設けられるように、かつ仕切壁４１に穿設された開口４１ａが、カード挿入口兼排出口２６ａに対応するように、前端部を仕切壁４１に取り付けられている。
【００１７】
次に、このような構成のカード処理装置におけるカードの処理動作を説明する。
カード処理装置１の初期状態においては、図６に示すように、ソレノイド２２には通電がなされておらず、ピン２４は下降しカード搬送路２６から退避しており、シャッタフラッパ２７が軸２９を回動中心として反時計方向に回動したときに、ピン２４が係合しないように位置付けられている。
【００１８】
この初期状態で、図３に示すように、カード４０を仕切壁４１の開口４１ａ、カード挿入口兼排出口２６ａからカード搬送路２６内に挿入すると、カード４０の先端によって押圧されるシャッタフラッパ２７は、引張りコイルばね３１の引張り力に抗して軸２９を回動中心として反時計方向に回動する。カード４０がカード搬送路２６内に挿入されると、モータ１０が正方向に回動するので、駆動ローラ１５と従動ローラ１８も正方向に回転する。
【００１９】
カード４０は従動ローラ１８とピンチローラ３４とに挟持されることにより、図中矢印Ａ方向に搬送され、カード４０の後端がソレノイド２２のピン２４を通過すると、ソレノイド２２が通電され、ピン２４が上昇する。したがって、２枚目以降のカード４０Ａをカード挿入口兼排出口２６ａから挿入しようとしても、シャッタフラッパ２７がピン２４に係合して回動を規制されるので、カード挿入口兼排出口２６ａが開放されることがなく、２枚目以降のカード４０Ａがカード搬送路２６内に挿入されることがない。
【００２０】
さらに、カード４０が矢印Ａ方向に搬送されて、駆動ローラ１５とピンチローラ３４とに挟持され、第２のセンサ３６によって先端が検知されると、モータ１０が停止し、次に逆方向に駆動され、カード４０が矢印Ｂ方向に搬送される。カード４０の後端が第１のセンサ３５を通過すると、モータ１０の駆動が停止されるので、カード４０の搬送が停止し、情報処理基板２６ｃによってカード４０に記録されている情報が処理される。
【００２１】
このとき、図４に示すように、カード４０が慣性によって矢印Ｂ方向にわずかに移動したとしても、カード４０の先端がピン２４に係止されるので、カード４０が確実に処理可能な範囲Ｌ内に位置付けられる。このように、ピン２４によってカード４０が確実に処理可能な範囲Ｌ内に位置付けられるので、従来のように、カード４０の停止位置の精度を向上させるためのエンコーダ付きの高価なモータが不要になり、このため安価に製造できる。また、カード処理中に、このピン２４に係合して回動が規制されたシャッタフラッパ２７によって、２枚目以降のカード４０Ａのカード搬送路２６内への挿入が規制されているので、カードの処理に支障をきたすことがない。また、常時、カード挿入口兼排出口２６ａを閉塞するシャッタフラッパ２７を設けたことにより、不正やいたずらを低減させることができるとともに、塵埃の侵入を規制できる。
【００２２】
カードの処理が終了すると、図５に示すように、ソレノイド２２への通電が遮断され、ピン２４が下降し、同時にモータ１０が逆方向に駆動されるので、カード４０が矢印Ｂ方向に搬送され、カード４０の先端がシャッタフラッパ２７に係合し、シャッタフラッパ２７を軸２９を回動中心として時計方向に回動させる。カード４０の先端側が仕切壁４１の開口４１ａから露呈すると、モータ１０の駆動が停止され、カード４０の搬送も停止されるので、カード４０が利用者に返却される。
【００２３】
図８は本発明の第２の実施の形態を示す側面図である。
この第２の実施の形態では、カード処理装置１を、未処理の新規カードに情報を記録し発行するカード発行装置としても兼用する場合を示したものである。すなわち、管理者側の空間４３であるカード処理装置１の後方に、未処理のカード４０Ｂを積載したカード供給部としてのスタッカ４５が設けられている。このスタッカ４５の上方には、スタッカ４５に積載されたカード４０Ｂの最上位のカードに接触し、最上位のカードを図中矢印Ｂ方向に１枚毎送出する送出ローラ４６が設けられている。４７は駆動ローラ、４８はこれに対接するピンチローラであって、これら両ローラ４７，４８によって送出ローラ４６によって送出されたカード４０Ｂがカード処理装置１のカード挿入口２６ｂに挿入される。
【００２４】
次に、このような構成のカード発行装置におけるカード発行動作を説明する。スタッカ４５に積載された未処理カードの最上位のカード４０Ｂが送出ローラ４６および駆動ローラ４７，ピンチローラ４８によってカード挿入口２６ｂに挿入され、カード４０Ｂの先端が第２のセンサ３６によって検知されると、ソレノイド２４が通電され、同時にモータ１０が逆方向に駆動される。
【００２５】
したがって、ピン２４が上昇するとともに、駆動ローラ１５と従動ローラ１８が逆方向に回転するので、カード４０Ｂは駆動ローラ１５とピンチローラ３４および従動ローラ１８とピンチローラ３４とによって、図中矢印Ｂ方向に搬送される。カード４０Ｂの後端が第１のセンサ３５を通過すると、モータ１０の駆動が停止され、カード４０Ｂの搬送も停止し、上述した第１の実施の形態と同様に、カード４０Ｂが慣性によって移動する場合は、カード４０Ｂがピン２４に係止される。未処理のカード４０Ｂに情報処理基板２６ｃによって情報が記録され、処理が終了すると、図５に示すように、ソレノイド２２への通電が遮断され、ピン２４が下降し、同時にモータ１０が逆方向に駆動されるので、処理されたカード４０Ｂが矢印Ｂ方向に搬送される。カード４０Ｂの先端側が仕切壁４１の開口４１ａから露呈すると、モータ１０の駆動が停止され、カード４０の搬送も停止されるので、所定の情報が記録されたカード４０Ｂが利用者に発行される。
【００２６】
このように、１台のカード処理装置１を新規のカードを発行するカード発行装置としても兼用することができるので、使い勝手が向上するだけではなく、２台設置する必要がなくなるので、２台分の設置空間を確保する必要がなくなる。
【００２７】
なお、本実施の形態においては、非接触ＩＣカード４０を処理するカード処理装置１について説明したが、接触型ＩＣカードや磁気カードを処理するカード処理装置にも適用できる。また、カード処理装置１を、第２の実施の形態におけるカード発行装置として専用に使用する場合には、あらかじめ、図８中において、シャッタフラッパ２７が軸２９を回動中心として反時計方向に回動するのを規制する規制片をアッパーケース３に着脱自在に設けてもよく、その場合には、ソレノイド２２が不要になる。
【００２８】
【発明の効果】
以上説明したように、請求項１に係る発明によれば、安価に製造できるとともに、不正やいたずらを排除できる。
【００２９】
また、請求項２に係る発明によれば、１台のカード処理装置をカード発行装置としても使用できるので、使い勝手が向上するとともに、２台分の設置空間を確保する必要がなくなる。
【図面の簡単な説明】
【図１】本発明に係るカード処理装置の平断面図である。
【図２】図２は図１におけるＩＩ−ＩＩ  線断面図である。
【図３】カードを第１のカード挿入口兼排出口から挿入した状態を示した図１におけるＩＩＩ−ＩＩＩ  線断面図である。
【図４】カードを処理している状態を示した図１におけるＩＩＩ−ＩＩＩ  線断面図である。
【図５】カードをカード挿入口兼排出口から排出している状態を示した図１におけるＩＩＩ−ＩＩＩ  線断面図である。
【図６】本発明に係るカード処理装置における要部の側面図である。
【図７】本発明に係るカード処理装置において、２枚目のカードの挿入を規制している状態を示す要部の側面図である。
【図８】本発明の第２の実施の形態を示す図１におけるＩＩＩ−ＩＩＩ  線断面図である。
【符号の説明】
１…カード処理装置、２…ロアーケース、３…アッパーケース、１０…モータ、２２…ソレノイド、２４…ピン、２６…カード搬送路、２６ａ…カード挿入口兼排出口、２６ｂ…カード挿入口、２６ｃ…情報処理基板、２７…シャッタフラッパ、４０…非接触型ＩＣカード、４０Ａ…２枚目以降のカード、４０Ｂ…未処理のカード。
【図１】
0003610831.tif 000002
【図２】
0003610831.tif 000003
【図３】
0003610831.tif 000004
【図４】
0003610831.tif 000005
【図５】
0003610831.tif 000006
【図６】
0003610831.tif 000007
【図７】
0003610831.tif 000008
【図８】
0003610831.tif 000009